(57)【要約】【課題】経年劣化後でも適切に表示画面を補正でき、表示画面の視認性を向上させる。【解決手段】ＬＣＤ７６の表示画面からユーザまでの距離を取得する距離取得部１０３と、表示画面のチルト角度を取得するチルト角度取得部１０４と、カメラにより撮像された表示画面の撮像画像を取得する画像取得部１０５と、取得した距離、チルト角度、および撮像画像に基づいて、ＬＣＤ７６の経年劣化の度合いを示す劣化度合いを算出する劣化度合い算出部１０７と、劣化度合いから、表示画面に関する値を補正する補正プロファイルを調整する表示調整部１０８と、調整された補正プロファイルを用いて、表示画面を補正する補正処理部１０９と、を備える。【選択図】図４
2019008063.tif 000002
【特許請求の範囲】
【請求項１】
表示装置の表示画面からユーザまでの距離と、前記表示画面のチルト角度と、撮像装置により撮像された前記表示画面の撮像画像と、を取得する取得部と、
前記距離と、前記チルト角度と、前記撮像画像とに基づいて、前記表示装置の経年劣化の度合いを示す劣化度合いを算出する劣化度合い算出部と、
前記劣化度合いから、前記表示画面に関する値を補正する補正プロファイルを調整する表示調整部と、
調整された前記補正プロファイルを用いて、前記表示画面を補正する補正処理部と、
を備える、情報処理装置。
【請求項２】
前記距離と、前記チルト角度とから、ユーザの前記表示画面に対する視線の入射角度である視線入射角を算出する入射角算出部をさらに備え、
前記劣化度合い算出部は、前記視線入射角から推定される前記表示画面のコントラストと、前記撮像画像から測定した前記表示画面のコントラストとの差分を前記劣化度合いとして算出する、請求項１に記載の情報処理装置。
【請求項３】
表示装置の機種ごとに、表示装置の使用時間に応じて作成された前記補正プロファイルである参照用補正プロファイルを保存する管理装置から、前記表示装置の機種と使用時間に基づく前記参照用補正プロファイルを選択する補正プロファイル選択部をさらに備え、
前記表示調整部は、選択された前記参照用補正プロファイルにより、前記補正プロファイルを調整する、請求項１または２に記載の情報処理装置。
【請求項４】
前記管理装置に、前記表示装置の機種と、前記表示装置の使用時間と、算出された前記劣化度合いを送信する通信制御部をさらに備える、請求項３に記載の情報処理装置。
【請求項５】
前記取得部は、前記撮像装置の種類ごとに、前記撮像画像に関する値を補正する画像補正プロファイルを用いて、前記撮像画像を補正し、
前記劣化度合い算出部は、前記距離と、前記チルト角度と、補正された前記撮像画像とに基づいて、前記劣化度合いを算出する、請求項１〜４のいずれか一つに記載の情報処理装置。
【請求項６】
情報処理装置とネットワークを介して接続された管理装置であって、
表示装置の表示画面からユーザまでの距離、前記表示画面のチルト角度、および前記表示画面の撮像画像に基づいて算出された、前記表示装置の経年劣化の度合いを示す劣化度合いと、前記表示装置の機種と、前記表示装置の使用時間とを受信する受信部と、
前記表示装置の機種ごとに、前記表示装置の使用時間と前記劣化度合いとを記憶部に蓄積して保存する保存管理部と、
蓄積された前記劣化度合いから、前記使用時間ごとに、前記情報処理装置の前記表示画面に関する値を補正する参照用補正プロファイルを作成する作成部と、を備え、
前記保存管理部は、作成された前記参照用補正プロファイルを前記記憶部に保存する、管理装置。
【請求項７】
前記作成部は、蓄積された複数の前記劣化度合いから使用時間ごとに前記劣化度合いの平均値である平均劣化度合いを算出し、前記平均劣化度合いを用いて前記参照用補正プロファイルを作成する、請求項６に記載の管理装置。
【請求項８】
表示装置の表示画面からユーザまでの距離と、前記表示画面のチルト角度と、撮像装置により撮像された前記表示画面の撮像画像と、を取得する取得ステップと、
前記距離と、前記チルト角度と、前記撮像画像とに基づいて、前記表示装置の経年劣化の度合いを示す劣化度合いを算出する劣化度合い算出ステップと、
前記劣化度合いから、前記表示画面に関する値を補正する補正プロファイルを調整する表示調整ステップと、
調整された前記補正プロファイルを用いて、前記表示画面を補正する補正処理ステップと、
を含む、情報処理方法。
【請求項９】
表示装置の表示画面からユーザまでの距離と、前記表示画面のチルト角度と、撮像装置により撮像された前記表示画面の撮像画像と、を取得する取得ステップと、
前記距離と、前記チルト角度と、前記撮像画像とに基づいて、前記表示装置の経年劣化の度合いを示す劣化度合いを算出する劣化度合い算出ステップと、
前記劣化度合いから、前記表示画面に関する値を補正する補正プロファイルを調整する表示調整ステップと、
調整された前記補正プロファイルを用いて、前記表示画面を補正する補正処理ステップと、
をコンピュータに実行させるためのプログラム。
【発明の詳細な説明】
【技術分野】
【０００１】
本発明は、情報処理装置、管理装置、情報処理方法、およびプログラムに関する。
【背景技術】
【０００２】
従来、複合機（ＭＦＰ：Multifunction  Peripheral）は、前方に液晶表示パネル（ＬＣＤ：Liquid  Crystal  Display）などの表示装置が設置されており、通常、ユーザはそのＬＣＤを見ながらＭＦＰの設定等の操作を行う。ＭＦＰは、不特定多数のユーザに使用されることが多いため、ユーザの身長の高低、また、立ち位置による視線入射角の違いにより、ＬＣＤの見え方は大きく異なっていた。
【０００３】
一般に、ＬＣＤのような視線入射角による階調特性が均一でない表示装置は、構造上、正面から外れた位置から見ると、その位置に応じて色ずれや輝度が大きく変化するため、暗い階調が失われて黒つぶれが発生したり、明るい階調が失われて白抜けが発生したりと、階調の表現性に大きな支障が発生していた。
【０００４】
特に、ＭＦＰに用いられる視野角が狭い安価なＬＣＤにおいては、階調特性変化が正面から少しずれるだけで大きく変化するので、単純なコントラストや輝度の調整では適正な補正を得ることは困難であった。
【０００５】
これに対し、見る人にとって表示の視認性が向上するように表示等の調整が自動的になされる表示装置を備えた画像形成装置が知られている（例えば、特許文献１参照）。この画像形成装置は、距離センサによる人の存在位置から目の位置を推定し、推定された目の位置に基づいて輝度、文字サイズ、コントラストを制御するものである。
【発明の概要】
【発明が解決しようとする課題】
【０００６】
しかしながら、特許文献１の画像形成装置による距離センサを用いた補正では、ＬＣＤの経年劣化による輝度の変化や色味の変化に対して対応できず、出荷時は適切に表示画面を補正できていたとしても、経年劣化後は適切に表示画面の補正ができないという問題があった。
【０００７】
本発明は、上記に鑑みてなされたものであって、経年劣化後でも適切に表示画面を補正でき、表示画面の視認性を向上させることを目的とする。
【課題を解決するための手段】
【０００８】
上述した課題を解決し、目的を達成するために、本発明は、表示装置の表示画面からユーザまでの距離と、前記表示画面のチルト角度と、撮像装置により撮像された前記表示画面の撮像画像と、を取得する取得部と、前記距離と、前記チルト角度と、前記撮像画像とに基づいて、前記表示装置の経年劣化の度合いを示す劣化度合いを算出する劣化度合い算出部と、前記劣化度合いから、前記表示画面に関する値を補正する補正プロファイルを調整する表示調整部と、調整された前記補正プロファイルを用いて、前記表示画面を補正する補正処理部と、を備える。
【発明の効果】
【０００９】
本発明によれば、経年劣化後でも適切に表示画面を補正でき、表示画面の視認性を向上させることができるという効果を奏する。
【図面の簡単な説明】
【００１０】
【図１】図１は、実施形態の情報処理システムの全体構成を示す図である。
【図２】図２は、実施形態のＭＦＰのハードウェア構成を示す図である。
【図３】図３は、実施形態の管理サーバのハードウェア構成を示す図である。
【図４】図４は、実施形態のＭＦＰの機能構成を示す図である。
【図５】図５は、ＭＦＰとユーザとの位置関係を示す図である。
【図６】図６は、ＬＣＤの劣化度合いを算出するイメージ図である。
【図７】図７は、補正プロファイルがガンマ曲線である場合の補正についての説明図である。
【図８】図８は、実施形態の管理サーバの機能構成を示す図である。
【図９】図９は、参照用補正プロファイルの管理情報の一例を示す図である。
【図１０】図１０は、ＬＣＤの型番と使用時間ごとに劣化度合いの平均値から参照用補正プロファイルを作成するイメージ図である。
【図１１】図１１は、補正プロファイルの調整処理の流れを示すフローチャートである。
【図１２】図１２は、劣化度合いの算出処理の流れを示すフローチャートである。
【図１３】図１３は、参照用補正プロファイルの作成処理の流れを示すフローチャートである。
【発明を実施するための形態】
【００１１】
以下に添付図面を参照して、情報処理装置、管理装置、情報処理方法、およびプログラムの実施形態を詳細に説明する。図１は、実施形態の情報処理システムの全体構成を示す図である。
【００１２】
図１に示すように、本実施形態の情報処理システムは、ユーザからの操作入力を受け付けるＬＣＤ（Liquid  Crystal  Display）を備えた複数のＭＦＰ（Multifunction  Peripheral）１００と、ＬＣＤの表示画面を撮像するカメラ３００と、表示画面を補正する際に用いる補正プロファイルを管理する管理サーバ２００と、を備えて構成されている。
【００１３】
図１では、４台のＭＦＰが接続されているが、任意の台数を接続可能である。また、本実施形態のＭＦＰ１００が情報処理装置の一例であり、管理サーバ２００が管理装置の一例であり、カメラ３００が撮像装置の一例である。
【００１４】
次に、ＭＦＰ１００のハードウェア構成について図を用いて説明する。図２は、実施形態のＭＦＰのハードウェア構成を示す図である。
【００１５】
図２に示すように、ＭＦＰ１００は、ＣＰＵ（Central  Processing  Unit）７１と、ＲＯＭ（Read  Only  Memory）７２と、ＲＡＭ（Random  Access  Memory）７３と、ＨＤＤ（Hard  Disk  Drive）７４と、通信Ｉ／Ｆ７５と、ＬＣＤ７６と、エンジンＩ／Ｆ７７と、距離センサ８０と、加速度センサ８１と、を備え、各部はバス７８により通信可能に接続されている。
【００１６】
ＣＰＵ７１は、ＭＦＰ１００全体の動作を制御する演算装置である。ＲＯＭ７２は、ＭＦＰ１００用のプログラムを記憶している不揮発性記憶装置である。ＲＡＭ７３は、ＣＰＵ７１の演算用のワークエリアとして使用される揮発性記憶装置である。ＨＤＤ７４は、画像データおよび印刷データ等の各種データを記憶する外部記憶装置である。
【００１７】
通信Ｉ／Ｆ７５は、ネットワークを利用してデータを通信するためのインターフェースである。ＬＣＤ７６は、液晶タッチパネル等であり、ＭＦＰ１００に対する入力を受け入れるとともに、ＭＦＰ１００の状態や各種画面等を表示する装置である。なお、ＬＣＤ７６が表示装置の一例である。
【００１８】
エンジンＩ／Ｆ７７は、プリンタエンジン７９と通信するためのインターフェースである。プリンタエンジン７９は、スキャナ機能およびプリンタ機能等を実現するハードウェア装置である。ここで、スキャナ機能とは、原稿データを読み取ってスキャナ画像を生成する機能である。また、プリンタ機能とは、上述のスキャナ画像、またはＰＣ（Personal  Computer）等の情報処理装置から送信されたデータに対して画像処理を実行し、出力可能な形式であるプロッタ画像を、印刷用紙に印字する機能である。
【００１９】
距離センサ８０は、ＬＣＤ７６の近傍、またはＬＣＤ７６に設けられ、ＬＣＤ７６の表示画面から対象物であるユーザまでの距離を測定するセンサである。加速度センサ８１は、ＬＣＤ７６に設けられ、ＬＣＤ７６のチルト角度を測定するセンサである。
【００２０】
次に、管理サーバ２００のハードウェア構成について図を用いて説明する。図３は、実施形態の管理サーバのハードウェア構成を示す図である。
【００２１】
管理サーバ２００は、ＣＰＵ５１などの制御装置と、ＲＯＭ５２やＲＡＭ５３などの記憶装置と、ネットワークに接続して通信を行う通信Ｉ／Ｆ５４と、ＨＤＤ５５などの外部記憶装置と、ディスプレイ装置などの表示装置５６と、キーボードやマウスなどの入力装置５７と、各部を接続するバス５８を備えており、通常のコンピュータを利用したハードウェア構成となっている。
【００２２】
次に、ＭＦＰ１００の機能構成について図を用いて説明する。図４は、実施形態のＭＦＰの機能構成を示す図である。
【００２３】
図４に示すように、ＭＦＰ１００は、入力受付部１０１と、表示制御部１０２と、距離取得部１０３と、チルト角度取得部１０４と、画像取得部１０５と、視線入射角算出部１０６と、劣化度合い算出部１０７と、表示調整部１０８と、補正処理部１０９と、補正プロファイル選択部１１０と、通信制御部１１１と、ＨＤＤ７４とを備えている。
【００２４】
ＨＤＤ７４は、ＬＣＤ７６の機種を示す型番ごとに、ＬＣＤ７６の表示画面の補正に用いる補正プロファイルが保存されている。補正プロファイルは、表示画面に関する値、例えば輝度や階調を補正するプロファイルである。
【００２５】
また、ＨＤＤ７４は、カメラ３００の種類を示す型番ごとに、カメラ３００により撮像された撮像画像の補正に用いる撮像画像補正プロファイルが保存されている。これにより、カメラの種類によってその後の処理に影響を与えることがなくなる。
【００２６】
入力受付部１０１は、ユーザのＬＣＤ７６からの指示入力を受け付ける。例えば、入力受付部１０１は、ユーザがＬＣＤ７６を操作することで、ＬＣＤ７６の補正処理を開始する指示を受け付ける。
【００２７】
表示制御部１０２は、ＬＣＤ７６に各種情報や画面を表示する制御をする。例えば、表示制御部１０２は、ＭＦＰ１００を利用する際の設定画面やプレビュー画面等を表示したり、ＬＣＤ７６の表示画面を補正する際に用いる、階調の変化がわかるようなパターンを表示させた専用画面を表示したりする。
【００２８】
距離取得部１０３は、距離センサ８０を用いて、ＬＣＤ７６の表示画面からユーザまでの距離を取得する。距離取得部１０３は、当該距離を、カメラ３００によりＬＣＤ７６の表示画面が撮像されたタイミングで取得する。
【００２９】
チルト角度取得部１０４は、加速度センサ８１を用いて、ＬＣＤ７６のチルト角度を取得する。チルト角度取得部１０４は、当該チルト角度を、カメラ３００によりＬＣＤ７６の表示画面が撮像されたタイミングで取得する。
【００３０】
画像取得部１０５は、カメラ３００により撮像されたＬＣＤ７６の表示画面（専用画面）の撮像画像をネットワークを介して取得する。また、画像取得部１０５は、ＨＤＤ７４に保存されている画像補正プロファイルから、カメラ３００の種類に応じた画像補正プロファイルを取得して、カメラ３００により撮像された撮像画像を補正する。
【００３１】
視線入射角算出部１０６は、距離取得部１０３により取得されたユーザまでの距離と、チルト角度取得部１０４により取得されたＬＣＤ７６のチルト角度とから、ユーザのＬＣＤ７６に対する視線の入射角度である視線入射角を算出する。
【００３２】
ここで、視線入射角の算出方法の一例ついて説明する。図５は、ＭＦＰとユーザとの位置関係を示す図である。まず、ＭＦＰ１００には、ＨＤＤ７４にユーザの身長Ｈが記憶されている。そして、視線入射角算出部１０６は、記憶されていたユーザの身長ＨからＬＣＤ７６からユーザの目線までの高さｈを算出する。そして、視線入射角算出部１０６は、当該高さｈと、距離センサ８０により測定したユーザまでの距離Ｌとに基づいて角度αを算出する。そして、視線入射角算出部１０６は、チルト角度βと算出した角度αの差分から視線入射角θを算出する。なお、ユーザの身長Ｈは、ＨＤＤ７４に平均的な身長をデフォルト値として記憶させておいてもよく、ユーザがＬＣＤ７６を操作することで値を設定してもよい。また、図５に示すように、カメラ３００は、ユーザの目の近くからＬＣＤ７６の表示画面を撮像する。
【００３３】
劣化度合い算出部１０７は、距離取得部１０３により取得されたユーザまでの距離と、チルト角度取得部１０４により取得されたＬＣＤ７６のチルト角度と、画像取得部１０５により取得、補正されたカメラ３００による撮像画像とに基づいて、ＬＣＤ７６の経年劣化の度合いを示す劣化度合いを算出する。
【００３４】
具体的には、例えば、劣化度合い算出部１０７は、視線入射角算出部１０６により算出された視線入射角から推定される表示画面のコントラストと、撮像画像から測定した表示画面のコントラストとを比較してコントラストの差分を算出し、当該差分を劣化度合いとして算出する。図６は、ＬＣＤの劣化度合いを算出するイメージ図である。ＬＣＤ７６は、視線入射角が大きくなるほどコントラストが低くなることが想定されるが、ＬＣＤ７６の経年劣化が進むと、よりコントラストが低くなる。カメラ３００から取得した撮像画像より測定したコントラストが想定するコントラストよりも低くなっている分だけ劣化が進んでいると判断し、この差分を劣化度合いとして算出する。
【００３５】
なお、本実施形態では、画像取得部１０５により補正された撮像画像を用いて劣化度合いを算出しているが、例えば、カメラ３００としてアプリを追加可能であるスマートフォンを用いる場合には、カメラ側で補正した撮像画像を用いてもよい。
【００３６】
表示調整部１０８は、劣化度合い算出部１０７により算出された劣化度合いから、ＨＤＤ７４に保存された、ＬＣＤ７６の表示画面に関する値を補正する補正プロファイルを調整する。また、表示調整部１０８は、補正プロファイル選択部１１０により選択された参照用補正プロファイルにより、ＨＤＤ７４に保存された補正プロファイルを調整する。
【００３７】
補正処理部１０９は、表示調整部１０８により調整された補正プロファイルを用いて、ＬＣＤ７６の表示画面を補正する。
【００３８】
ここで、具体的に、補正プロファイルの調整について説明する。補正プロファイルの調整とは、例えば、表示調整部１０８が、劣化度合い算出部１０７により算出された劣化度合いに応じて、ガンマ曲線を修正する。そして、補正処理部１０９は、修正されたガンマ曲線に従ってＬＣＤ７６の表示画面を制御する。
【００３９】
図７は、補正プロファイルがガンマ曲線である場合の補正についての説明図である。図７に示すように、元のガンマ曲線が補正プロファイルＡで示す状態の場合、劣化によってコントラストが低下するため、ガンマ曲線を補正プロファイルＢに近づくように補正する。劣化度合いが所定値より大きい場合は、ガンマ曲線を補正プロファイルＣまたはＤに近づくように補正する。
【００４０】
また、劣化度合いに対応させてガンマ曲線（補正プロファイル）をＨＤＤ７４に記憶しておき、補正処理部１０９は、算出された劣化度合いに応じた補正プロファイルを取得して、当該補正プロファイルに応じてＬＣＤ７６の表示画面を補正する構成としてもよい。
【００４１】
補正プロファイル選択部１１０は、ＬＣＤの機種を示す型番ごとに、ＬＣＤの使用時間に応じて作成された補正プロファイルである参照用補正プロファイルを保存する管理サーバ２００から、ＭＦＰ１００のＬＣＤ７６の型番と使用時間に基づく参照用補正プロファイルを選択して取得する。そして、当該参照用補正プロファイルを用いて、表示調整部１０８によりＨＤＤ７４に保存された補正プロファイルが調整される。
【００４２】
通信制御部１１１は、管理サーバ２００などの外部装置との間で、各種情報の送受信を制御するものである。通信制御部１１１は、例えば、管理サーバ２００に、ＬＣＤ７６の型番と、ＬＣＤ７６の使用時間と、算出された劣化度合いとを送信したり、参照用補正プロファイルを受信したりする。
【００４３】
次に、管理サーバ２００の機能構成について図を用いて説明する。図８は、実施形態の管理サーバの機能構成を示す図である。図８に示すように、管理サーバ２００は、送受信部２０１と、保存管理部２０２と、作成部２０３と、ＨＤＤ５５とを備えている。
【００４４】
ＨＤＤ５５は、ＬＣＤの型番と使用時間とに対応させて、管理サーバ２００で作成した参照用補正プロファイルを保存する。図９は、参照用補正プロファイルの管理情報の一例を示す図である。図９に示すように、ＬＣＤの型番（型番Ａ、Ｂ等）ごとに、使用時間（０時間、１万時間等）に対応させて参照用補正プロファイル（補正プロファイルＡ１、補正プロファイルＡ２等）を保存している。このように、ＬＣＤの型番ごとに使用時間に対する劣化度合いの傾向が異なっても、ＬＣＤの型番ごとに補正プロファイルを管理することで、ＬＣＤの型番ごとのバラつきの影響を受けることなく、適切な補正プロファイルを作成できる。
【００４５】
送受信部２０１は、ＭＦＰ１００から、劣化度合いと、ＬＣＤ７６の型番と、ＬＣＤ７６の使用時間とを受信する。また、送受信部２０１は、ＭＦＰ１００に、参照用補正プロファイルを送信する。
【００４６】
保存管理部２０２は、ＬＣＤの型番ごとに、ＬＣＤの使用時間と劣化度合いとをＨＤＤ５５に蓄積して保存する。また、保存管理部２０２は、作成部２０３により作成された参照用補正プロファイルをＨＤＤ５５に保存する。
【００４７】
作成部２０３は、保存管理部２０２により蓄積された劣化度合いから、使用時間ごとに劣化度合いの平均値である平均劣化度合いを算出し、当該平均劣化度合いを用いてＭＦＰ１００のＬＣＤ７６に関する値を補正する参照用補正プロファイルを作成する。
【００４８】
図１０は、ＬＣＤの型番と使用時間ごとに劣化度合いの平均値から参照用補正プロファイルを作成するイメージ図である。図１０に示すように、劣化度合いは、測定環境や使用状況、個体差によりばらつきがあるが、ある程度一定の傾向を持ったデータが取得できる。そのため、作成部２０３は、管理サーバ２００に蓄積された多数のデータから使用時間に対する平均的な劣化度合いを算出し、算出した平均劣化度合いより参照用補正プロファイルを作成する。
【００４９】
次に、ＭＦＰ１００による経年劣化に合わせて補正プロファイルを調整する処理の流れについて説明する。図１１は、補正プロファイルの調整処理の流れを示すフローチャートである。
【００５０】
入力受付部１０１が、ユーザによる補正処理の指示入力を受け付けた場合（ステップＳ１０：Ｙｅｓ）、表示制御部１０２は、ＬＣＤ７６の表示画面を専用画面（補正用の輝度と表示内容）に変更して表示する（ステップＳ１１）。
【００５１】
画像取得部１０５は、カメラ３００によるＬＣＤ７６の表示画面の撮像画像を取得する（ステップＳ１２）。撮像画像が撮像されたタイミングで、チルト角度取得部１０４は、ＬＣＤ７６のチルト角度を取得し（ステップＳ１３）、距離取得部１０３は、ユーザとの距離を取得する（ステップＳ１４）。
【００５２】
次に、劣化度合い算出部１０７は、チルト角度と、ユーザとの距離と、撮像画像とから、ＬＣＤ７６の劣化度合いを算出する（ステップＳ１５）。表示調整部１０８は、算出された劣化度合いから、補正プロファイルを調整する（ステップＳ１６）。
【００５３】
通信制御部１１１は、管理サーバ２００に、ＬＣＤ７６の型番、使用時間、および算出された劣化度合いを送信する（ステップＳ１７）。そして、調整された補正プロファイルを用いて、補正処理部１０９は、ＬＣＤ７６の表示画面を補正する。
【００５４】
一方、ユーザによる補正処理の指示入力を受け付けずに所定時間が経過した場合（ステップＳ１０：Ｎｏ）、補正プロファイル選択部１１０は、管理サーバ２００から、ＬＣＤ７６の型番および使用時間に基づく参照用補正プロファイルを選択して取得する（ステップＳ１８）。
【００５５】
表示調整部１０８は、取得した参照用補正プロファイルにより、補正プロファイルを調整する（ステップＳ１９）。そして、調整された補正プロファイルを用いて、補正処理部１０９は、ＬＣＤ７６の表示画面を補正する。
【００５６】
次に、ＭＦＰ１００による劣化度合いを算出する処理（図１１におけるステップＳ１５）の詳細について説明する。図１２は、劣化度合いの算出処理の流れを示すフローチャートである。
【００５７】
視線入射角算出部１０６は、取得したＬＣＤ７６のチルト角度とユーザとの距離から、視線入射角（図５のθ参照）を算出する（ステップＳ３０）。劣化度合い算出部１０７は、視線入射角から推定される表示画面のコントラストと、撮像画像から測定した表示画面のコントラストを比較し（ステップＳ３１）、コントラストの差分を劣化度合いとして算出する（ステップＳ３２）。
【００５８】
次に、管理サーバ２００による参照用補正プロファイルを作成する処理の流れについて説明する。図１３は、参照用補正プロファイルの作成処理の流れを示すフローチャートである。
【００５９】
送受信部２０１は、ＭＦＰ１００から、ＬＣＤの型番、使用時間、および劣化度合いを受信する（ステップＳ４０）。保存管理部２０２は、ＬＣＤの型番ごとに、使用時間と劣化度合いを蓄積する（ステップＳ４１）。作成部２０３は、蓄積された劣化度合いから、使用時間ごとに平均値をとり、参照用補正プロファイルを作成し（ステップＳ４２）、ＨＤＤ５５に保存する。
【００６０】
このように、本実施形態のＭＦＰ１００は、ユーザからの補正処理の指示入力を受け付けると、ＬＣＤ７６の表示画面の撮像画像と、表示画面のチルト角度と、表示画面からユーザまでの距離とを取得し、これらに基づいてＬＣＤ７６の劣化度合いを算出し、当該劣化度合いから補正プロファイルを調整して表示画面を補正する。また、ＭＦＰ１００は、補正処理の指示入力を受け付けなかった場合でも、管理サーバ２００からＭＦＰ１００の型番と使用時間とに対応する参照用補正プロファイルを受信して、受信した補正プロファイルにより補正プロファイルを調整して表示画面を補正する。これにより、ＬＣＤ７６の経年劣化後でも適切に表示画面を補正でき、補正処理の指示を受けていないＬＣＤ７６に対しても他の補正済みのＬＣＤの補正傾向から表示画面を補正できるため、表示画面の視認性を向上させることができる。
【００６１】
なお、本実施形態のＭＦＰ１００で実行されるプログラムは、ＲＯＭ等に予め組み込まれて提供される。本実施形態のＭＦＰ１００で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００６２】
さらに、本実施形態のＭＦＰ１００で実行されるプログラムを、インターネット等のネットワークに接続されたコンピュータ上に格納し、ネットワーク経由でダウンロードさせることにより提供するように構成してもよい。また、本実施形態のＭＦＰ１００で実行されるプログラムをインターネット等のネットワーク経由で提供または配布するように構成してもよい。
【００６３】
本実施形態のＭＦＰ１００で実行されるプログラムは、上述した各部（入力受付部、表示制御部、距離取得部、チルト角度取得部、画像取得部、視線入射角算出部、劣化度合い算出部、表示調整部、補正処理部、補正プロファイル選択部、通信制御部）を含むモジュール構成となっており、実際のハードウェアとしてはＣＰＵ（プロセッサ）が上記ＲＯＭからプログラムを読み出して実行することにより上記各部が主記憶装置上にロードされ、上記各部が主記憶装置上に生成されるようになっている。また、例えば、上述した各部の機能のうちの一部または全部が専用のハードウェア回路で実現されてもよい。
【００６４】
なお、上記実施形態では、本発明の情報処理装置を、コピー機能、プリンタ機能、スキャナ機能およびファクシミリ機能のうち少なくとも２つの機能を有するＭＦＰ（複合機）に適用した例を挙げて説明するが、複写機、プリンタ、スキャナ装置、ファクシミリ装置等の情報処理装置であればいずれにも適用することができる。
【符号の説明】
【００６５】
７６  ＬＣＤ
８０  距離センサ
８１  加速度センサ
１００  ＭＦＰ
１０１  入力受付部
１０２  表示制御部
１０３  距離取得部
１０４  チルト角度取得部
１０５  画像取得部
１０６  視線入射角算出部
１０７  劣化度合い算出部
１０８  表示調整部
１０９  補正処理部
１１０  補正プロファイル選択部
１１１  通信制御部
２００  管理サーバ
２０１  送受信部
２０２  保存管理部
２０３  作成部
３００  カメラ
【先行技術文献】
【特許文献】
【００６６】
【特許文献１】特開２００６−１２６２２９号公報
【図１】
2019008063.tif 000003
【図２】
2019008063.tif 000004
【図３】
2019008063.tif 000005
【図４】
2019008063.tif 000006
【図５】
2019008063.tif 000007
【図６】
2019008063.tif 000008
【図７】
2019008063.tif 000009
【図８】
2019008063.tif 000010
【図９】
2019008063.tif 000011
【図１０】
2019008063.tif 000012
【図１１】
2019008063.tif 000013
【図１２】
2019008063.tif 000014
【図１３】
2019008063.tif 000015